(57)【要約】【課題】美観を向上できる水栓を提供すること。【解決手段】水栓本体２と、この水栓本体の吐出口３に連通接続される吐出管本体４と、この吐出管本体を被覆するよう吐出管本体に装着される樹脂製の吐出管カバー６と、前記水栓本体に回動自在に装着され、少なくとも流量調整を行う操作部材８とを備え、更に、この操作部材と前記吐出管カバーが、透明樹脂または半透明樹脂から構成されている。【選択図】      図１
2004225439.tif 000002
【特許請求の範囲】
【請求項１】
水栓本体と、この水栓本体の吐出口に連通接続される吐出管本体と、この吐出管本体を被覆するよう吐出管本体に装着される樹脂製の吐出管カバーと、前記水栓本体に回動自在に装着され、少なくとも流量調整を行う操作部材とを備え、更に、この操作部材と前記吐出管カバーが、透明樹脂または半透明樹脂から構成されていることを特徴とする水栓。
【請求項２】
前記操作部材と前記吐出管カバーが、同色の透明着色樹脂または同色の半透明着色樹脂から構成されている請求項１に記載の水栓。
【請求項３】
水栓本体と、この水栓本体の吐出口に左右回動自在に連通接続される、長い水平部分およびエルボ部分よりなる吐出管本体と、この吐出管本体の前記水平部分の先端に装着される樹脂製キャップと、この樹脂製キャップの非装着時において、吐出管本体の先端側から挿入されて前記先端を除く前記水平部分の全体および吐出管本体の前記エルボ部分の前側を被覆するよう吐出管本体に装着される樹脂製の第１のカバーと、吐出管本体に装着された前記第１のカバーに対して着脱可能に設けられ、吐出管本体の前記エルボ部分の後側を吐出管本体の後方側から被覆する樹脂製の第２のカバーと、前記水栓本体に回動自在に装着され、少なくとも流量調整を行う操作部材とを備え、更に、この操作部材、前記第１のカバーおよび前記第２のカバーが、透明樹脂または半透明樹脂から構成されていることを特徴とする水栓。
【請求項４】
前記操作部材、前記第１のカバーおよび前記第２のカバーが、同色の透明着色樹脂または同色の半透明着色樹脂から構成されている請求項３に記載の水栓。
【請求項５】
水栓本体と、この水栓本体の吐出口に連通接続される吐出管本体と、この吐出管本体を被覆するよう吐出管本体に装着される樹脂製の吐出管カバーと、前記水栓本体を被覆するよう前記水栓本体に装着される樹脂製の水栓本体カバーと、前記水栓本体に回動自在に装着され、少なくとも流量調整を行う操作部材とを備え、更に、この操作部材、前記吐出管カバーおよび水栓本体カバーが、透明樹脂または半透明樹脂から構成されていることを特徴とする水栓。
【請求項６】
前記操作部材、前記吐出管カバーおよび水栓本体カバーが、同色の透明着色樹脂または同色の半透明着色樹脂から構成されている請求項５に記載の水栓。
【請求項７】
水栓本体と、この水栓本体の吐出口に左右回動自在に連通接続される、長い水平部分およびエルボ部分よりなる吐出管本体と、この吐出管本体の前記水平部分の先端に装着される樹脂製キャップと、この樹脂製キャップの非装着時において、吐出管本体の先端側から挿入されて前記先端を除く前記水平部分の全体および吐出管本体の前記エルボ部分の前側を被覆するよう吐出管本体に装着される樹脂製の第１のカバーと、吐出管本体に装着された前記第１のカバーに対して着脱可能に設けられ、吐出管本体の前記エルボ部分の後側を吐出管本体の後方側から被覆する樹脂製の第２のカバーと、前記水栓本体を覆うよう前記水栓本体に装着される第３のカバーと、前記水栓本体に回動自在に装着され、少なくとも流量調整を行う操作部材とを備え、更に、この操作部材、前記第１のカバー、前記第２のカバーおよび前記第３のカバーが、透明樹脂または半透明樹脂から構成されていることを特徴とする水栓。
【請求項８】
前記操作部材、前記第１のカバー、前記第２のカバーおよび前記第３のカバーが、同色の透明着色樹脂または同色の半透明着色樹脂から構成されている請求項７に記載の水栓。
【発明の詳細な説明】
【０００１】
【発明の属する技術分野】
この発明は水栓に関するものである。
【０００２】
【従来の技術および発明が解決しようとする課題】
水栓本体と、この水栓本体の吐出口に連通接続されており、長い水平部分と吐出口に装着されるエルボ部分から構成される金属製の吐出管と、この吐出管の先端に装着される樹脂製キャップと、前記水栓本体に回動自在に装着され、流量調整を行う操作ハンドルとを備えた水栓において、この操作ハンドルを透明着色樹脂から構成されているものがあるけれども、前記長い吐出管は表面がメッキされており、透明着色樹脂の操作ハンドルとは美観上マッチしなかった。
【０００３】
この発明は、美観を向上できるとともに、吐出管本体が腐食するのを防止できて吐出管本体を保護でき、また、吐出管本体が熱くなって使用者が直接触れてやけどをするのを防止できる水栓を提供することを目的とする。
【０００４】
【課題を解決するための手段】
上記目的を達成するために、この発明の水栓は、水栓本体と、この水栓本体の吐出口に連通接続される吐出管本体と、この吐出管本体を被覆するよう吐出管本体に装着される樹脂製の吐出管カバーと、前記水栓本体に回動自在に装着され、少なくとも流量調整を行う操作部材とを備え、更に、この操作部材と前記吐出管カバーが、透明樹脂または半透明樹脂から構成されていることを特徴とする（請求項１）。
【０００５】
また、この発明は別の観点から、水栓本体と、この水栓本体の吐出口に左右回動自在に連通接続される、長い水平部分およびエルボ部分よりなる吐出管本体と、この吐出管本体の前記水平部分の先端に装着される樹脂製キャップと、この樹脂製キャップの非装着時において、吐出管本体の先端側から挿入されて前記先端を除く前記水平部分の全体および吐出管本体の前記エルボ部分の前側を被覆するよう吐出管本体に装着される樹脂製の第１のカバーと、吐出管本体に装着された前記第１のカバーに対して着脱可能に設けられ、吐出管本体の前記エルボ部分の後側を吐出管本体の後方側から被覆する樹脂製の第２のカバーと、前記水栓本体に回動自在に装着され、少なくとも流量調整を行う操作部材とを備え、更に、この操作部材、前記第１のカバーおよび前記第２のカバーが、透明樹脂または半透明樹脂から構成されていることを特徴とする水栓を提供する（請求項３）。
【０００６】
更に、この発明の水栓は、水栓本体と、この水栓本体の吐出口に連通接続される吐出管本体と、この吐出管本体を被覆するよう吐出管本体に装着される樹脂製の吐出管カバーと、前記水栓本体を被覆するよう前記水栓本体に装着される樹脂製の水栓本体カバーと、前記水栓本体に回動自在に装着され、少なくとも流量調整を行う操作部材とを備え、更に、この操作部材、前記吐出管カバーおよび水栓本体カバーが、透明樹脂または半透明樹脂から構成されていることを特徴とする（請求項５）。
【０００７】
また、この発明は更に別の観点から、水栓本体と、この水栓本体の吐出口に左右回動自在に連通接続される、長い水平部分およびエルボ部分よりなる吐出管本体と、この吐出管本体の前記水平部分の先端に装着される樹脂製キャップと、この樹脂製キャップの非装着時において、吐出管本体の先端側から挿入されて前記先端を除く前記水平部分の全体および吐出管本体の前記エルボ部分の前側を被覆するよう吐出管本体に装着される樹脂製の第１のカバーと、吐出管本体に装着された前記第１のカバーに対して着脱可能に設けられ、吐出管本体の前記エルボ部分の後側を吐出管本体の後方側から被覆する樹脂製の第２のカバーと、前記水栓本体を覆うよう前記水栓本体に装着される第３のカバーと、前記水栓本体に回動自在に装着され、少なくとも流量調整を行う操作部材とを備え、更に、この操作部材、前記第１のカバー、前記第２のカバーおよび前記第３のカバーが、透明樹脂または半透明樹脂から構成されていることを特徴とする水栓を提供する（請求項７）。
【０００８】
【発明の実施の形態】
以下にこの発明の実施の形態について説明する。なお、この発明はそれによって限定されるものではない。
【０００９】
図１〜図４は、水栓本体と、吐出管本体と、この吐出管本体の前記水平部分の先端に装着される樹脂製キャップと、吐出管本体に装着される樹脂製の第１のカバーおよび第２のカバーと、前記水栓本体に回動自在に装着され、流量調整を行う操作部材とを備え、この操作部材、前記第１のカバーおよび前記第２のカバーが、同色の透明着色樹脂から構成されているこの発明の一実施形態を示す。
【００１０】
図１〜４において、単水栓（自在水栓）１は、水栓本体２と、この水栓本体の吐出口３に継手部材９によって左右回動自在に連通接続される、長い水平部分４ａおよびエルボ部分４ｂよりなる金属製（例えば銅製）の吐出管本体４と、この吐出管本体４の前記水平部分４ａの先端ｅに装着される樹脂製の断熱キャップ５と、この樹脂製キャップ５の非装着時において、吐出管本体４の先端側から挿入されて前記先端ｅを除く前記水平部分４ａの全体および吐出管本体４の前記エルボ部分４ｂの前側部Ｅを被覆するよう吐出管本体４に装着される樹脂製の第１の断熱カバー６と、吐出管本体４に装着された前記第１の断熱カバー６に対して着脱可能に設けられ、吐出管本体４の前記エルボ部分４ｂの後側部Ｅ’を吐出管本体４の後方側から被覆する樹脂製の第２の断熱カバー７と、前記水栓本体２に回動自在に装着され、流量調整を行う操作ハンドル（操作部材）８とを備えている。
【００１１】
前記第１の断熱カバー６は、吐出管本体挿入穴ｈを有する水平部６ａと、エルボ６ｂとから構成されており、前記挿入穴ｈは水平部分４ａが遊嵌可能な大きさの開口を有する。そして、水平部６ｂの前記先端ｅに前記キャップ５が装着される。
【００１２】
一方、挿入穴ｈの内面におけるキャップ５の側には、吐出管本体４を挿入したときにブレが生じるのを防止する一対のリブ１１，１１が水平に対向配置されている。図４では一方のリブ１１しか図示していない。
【００１３】
また、吐出管本体４のブレが生じるのを確実に防止する目的で、前記第２の断熱カバー７の内面下部に、Ｕ字型のリブ１２が形成されている。このＵ字型のリブ１２と前記一対のリブ１１，１１とで吐出管本体４のブレを確実に防止できる。
【００１４】
また、前記第１の断熱カバー６のエルボ６ｂの上部には、正面視で左右一対の係止部としての爪１３，１３が設けられている。一方、前記第２の断熱カバー７の上部内面における、前記爪１３，１３との対応位置には爪１３，１３に係合する被係止部としての凹所１４，１４を設けている。そのため、両者７，６ｂのつなぎ目から金属製の吐出管本体４が露出することがない。
【００１５】
１５は、第１の断熱カバー６の水平部６ａの先端に形成された段差で、キャップ５の一端に形成された段差１６に係合する大きさを有する。そして、段差１５，１６を介してキャップ５が第１の断熱カバー６の水平部６ａに装着され得る。そのため、両者５，６ａのつなぎ目から金属製の吐出管本体４が露出することがない。
【００１６】
なお、キャップ５は、その吐出口部１７に、それの口端部にまでわたって放射状に整流板１８を設ける一方、Ｏリング２３を介して吐出口部１７に螺着される整流器本体１９を金属製にしてこれの吐出口２０のまわりに段部２０ａを形成し、かつ、この段部２０ａとキャップ側の整流板１８との間にカシメ網２４を有している。
【００１７】
以下、この発明の特徴的構成について説明する。
【００１８】
この発明では、前記操作ハンドル８、前記第１の断熱カバー６および前記第２の断熱カバー７が、同色の透明着色樹脂または同色の半透明着色樹脂から構成されている。この実施形態では、前記操作ハンドル８、前記第１の断熱カバー６および前記第２の断熱カバー７が、黄色の透明着色樹脂から構成されている。
【００１９】
また、キャップ５は、操作性を良好にするために吐出口部１７に対向する位置の先端上部に突起２８を有する。前記突起２８は使用者の最も近い位置にあるので、突起２８がない場合にキャップ５や第１の断熱カバー６を操作せずとも突起２８を軽く操作するだけで吐出口部１７を回動でき、手の不自由な使用者に対しても操作性の点で有利である。
【００２０】
而して、吐出管本体４を覆う前記第１の断熱カバー６および前記第２の断熱カバー７を設けるとともに、前記操作ハンドル８、前記第１の断熱カバー６および前記第２の断熱カバー７を、同色の黄色の透明着色樹脂から構成したので、長い吐出管は表面がメッキされたままで、操作ハンドルだけを透明着色樹脂から構成しただけの水栓に比して、操作ハンドル８と、第１の断熱カバー６および前記第２の断熱カバー７とのマッチングができて美観を向上できる。
【００２１】
また、断熱キャップ５、断熱カバー６，７で吐出管本体４の略全体を被覆できるので、吐出管本体４の長い水平部分４ａおよびエルボ部分４ｂが熱くなって使用者が直接触れてやけどをするのを確実に防止できる。
【００２２】
また、断熱カバー６，７の組付けは、吐出管本体４の後方側から第２の断熱カバー７を第１の断熱カバー６のエルボ６ｂに押しつけるだけの簡単な作業で済む。そして、金属製の吐出管本体４が露出することがない。
【００２３】
更に、金属製の吐出管本体４をキャップ５、断熱カバー６，７で被覆するので、吐出管本体４が腐食するのを防止できて吐出管本体４を保護できる上に、吐出管本体４をキャップ５、断熱カバー６，７で被覆した状態で製品搬送を行うにあたり、たとえキャップ５、断熱カバー６，７の表面に傷が付いても、コスト安に大量生産できるキャップ５、断熱カバー６，７を交換するだけで済む。
【００２４】
上記実施形態では、操作部材８として、複数本の指を使って回動操作する平面視三叉状のものを用いた単水栓（自在水栓）１を示した。
【００２５】
図５は、前記操作部材８とは異なる形状で、回動操作を前記操作部材８よりも容易にできる、いわゆる、  シングルレバー式の水栓に用いられる操作部材８’を用いたこの発明の他の実施形態を示す。なお、図５において、図１〜図４に示した符号と同一のものは、同一または相当物である。
【００２６】
操作部材８’では、軸芯３０および外端３１との距離Ｒを、前記操作部材８の軸芯３０’および外端３１’との距離ｒよりも大きく設定できるので、回動操作を前記操作部材８よりも容易にできる。
【００２７】
図６は、水栓本体２を覆うよう前記水栓本体２に第３の断熱カバー４０を設けたこの発明の更に他の実施形態を示す。なお、図６において、図１〜図５に示した符号と同一のものは、同一または相当物である。
【００２８】
図６において、５０は、水栓本体２を覆う樹脂製の断熱カバー（第３のカバー）で、操作ハンドル８、第１の断熱カバー６および前記第２の断熱カバー７と同色の黄色の透明着色樹脂から構成してある。断熱カバー５０は、組付け時に水栓本体２を上側からと下側から容易に被覆できる上部半割り体５１と下部半割り体５２から構成される。上部半割り体５１は例えば爪を有する一方、下部半割り体５２は前記爪に係止する係止溝を有しており、被覆時における上部半割り体５１と下部半割り体５２の連結が可能となっている。
【００２９】
上部半割り体５１は、操作ハンドル８’を露出させるための開口を有する状態で前記水栓本体２の上部を覆っている。また、上部半割り体５１は、水栓本体２の配管接続部７０のフランジ７１の上部周端をおおう切欠を有する。
【００３０】
２７は、継手部材９の周面部９ａを覆う開口を有する。組付け時には、この開口の端面と、図３に示す第１の断熱カバー６の水平部６ａの上面部分Ｍおよび第２の断熱カバー７の上面部分ｍとが当接するように構成される。
【００３１】
而して、吐出管本体４を覆う前記第１の断熱カバー６および前記第２の断熱カバー７を設けるとともに、更に、水栓本体２を覆う断熱カバー５０を設け、前記操作ハンドル８、前記第１の断熱カバー６、前記第２の断熱カバー７および水栓本体２の断熱カバー５０を、同色の黄色の透明着色樹脂から構成したので、更に美観を向上できる。また、断熱カバー５０によって、水栓本体２が腐食するのを防止できて水栓本体２を保護できるとともに、水栓本体２が熱くなって使用者が直接触れてやけどをするのを防止できる。
【００３２】
なお、この発明は、給湯配管に対する接続部（湯流入管）と給水配管に対する接続部（水流入管）から流入される湯水を適宜混合して流量調整および温度調整を兼ねた操作ハンドルによって設定される流量および温度となるように吐出管本体の吐出口から温水（または冷水）を吐水する湯水混合水栓にも適用できる。
【００３３】
【発明の効果】
以上説明したようにこの発明では、美観を向上できるとともに、吐出管本体が腐食するのを防止できて吐出管本体を保護でき、また、吐出管本体が熱くなって使用者が直接触れてやけどをするのを防止できる水栓を提供することができる。
【図面の簡単な説明】
【図１】この発明の一実施形態を示す全体斜視図である。
【図２】上記実施形態を示す全体構成説明図である。
【図３】上記実施形態で用いたキャップ、第１のカバーおよび第２のカバーを示す分解斜視図である。
【図４】上記実施形態で用いたキャップ、第１のカバーおよび第２のカバーを分解して示す構成説明図である。
【図５】この発明の他の実施形態を示す全体斜視図である。
【図６】この発明の更に他の実施形態を示す全体斜視図である。
【符号の説明】
１…水栓、２…水栓本体、３…吐水口、４…吐水管本体、６…透明樹脂製の吐出管カバー、８…透明樹脂製の操作部材。
【図１】
2004225439.tif 000003
【図２】
2004225439.tif 000004
【図３】
2004225439.tif 000005
【図４】
2004225439.tif 000006
【図５】
2004225439.tif 000007
【図６】
2004225439.tif 000008